(57)【要約】【課題】ライティング機能を備えるスピーカー装置において、複数のスピーカー装置で、異なるライティングを実行可能とすること。【解決手段】システム１０１は、イルミネーション部と、マイクロコンピューターと、を備える複数のスピーカー装置１〜４と、スマートフォン５１と、を備える。スマートフォン５１は、複数のスピーカー装置１〜４に、異なるライティングパターンを設定する。スピーカー装置１〜４のマイクロコンピューターは、スマートフォン５１により設定されたライティングパターンに従って、イルミネーション部のライティングを制御する。【選択図】図２
2020195109.tif 000002
【特許請求の範囲】
【請求項１】
イルミネーション部と、
制御部と、を備え、
前記制御部は、他のスピーカー装置と異なるライティングパターンに従って、前記イルミネーション部のライティングを制御することを特徴とするスピーカー装置。
【請求項２】
無線通信部をさらに備え、
前記制御部は、前記無線通信部を介して、前記他のスピーカー装置と無線通信を行うことを特徴とする請求項１に記載のスピーカー装置。
【請求項３】
前記ライティングパターンは、前記他のスピーカー装置と、点灯タイミングが異なることを特徴とする請求項１又は２に記載のスピーカー装置。
【請求項４】
前記ライティングパターンは、前記他のスピーカー装置と、配色パターンが異なることを特徴とする請求項１又は２に記載のスピーカー装置。
【請求項５】
イルミネーション部を備える、複数のスピーカー装置に、異なるライティングパターンを設定することを特徴とする電子機器。
【請求項６】
イルミネーション部と、
制御部と、を備える複数のスピーカー装置と、
電子機器と、を備えるシステムであって、
前記電子機器は、前記複数のスピーカー装置に、異なるライティングパターンを設定し、
前記制御部は、前記電子機器により設定された前記ライティングパターンに従って、前記イルミネーション部のライティングを制御することを特徴とするシステム。
【発明の詳細な説明】
【技術分野】
【０００１】
本発明は、ライティング（照明）機能を備えるスピーカー装置、複数のスピーカー装置を制御する電子機器、及び、システムに関する。
【背景技術】
【０００２】
特許文献１には、ライティング（照明）機能を備えるスピーカー装置が開示されている。特許文献１に記載のスピーカー装置においては、発光ダイオードのアレイを内蔵したイルミネーション照明（イルミネーション部１３）によって、ライティング機能が実現されている。特許文献１に記載のスピーカー装置においては、楽曲が解析され、解析情報に基づいて、イルミネーション照明が、点滅等されている。
【０００３】
また、スピーカー装置が、例えば、Bluetooth（登録商標） Low Energy（LE）での通信機能を備えている場合、この通信機能を用いて、複数台のスピーカー装置で、同時に同じ楽曲を再生することが可能である。この場合、ライティングについては、各々のスピーカー装置で、楽曲が解析され、同じライティング状態となる。
【先行技術文献】
【特許文献】
【０００４】
【特許文献１】特開２０１３−０９３７６２号公報
【発明の概要】
【発明が解決しようとする課題】
【０００５】
しかしながら、従来のライティング機能を備えるスピーカー装置においては、複数のスピーカー装置で、同じライティングとなり、異なるライティングが実行されないという問題があった。
【０００６】
本発明の目的は、ライティング機能を備えるスピーカー装置において、複数のスピーカー装置で、異なるライティングを実行可能とすることである。
【課題を解決するための手段】
【０００７】
第１の発明のスピーカー装置は、イルミネーション部と、制御部と、を備え、前記制御部は、他のスピーカー装置と異なるライティングパターンに従って、前記イルミネーション部のライティングを制御することを特徴とする。
【０００８】
本発明では、制御部は、他のスピーカー装置と異なるライティングパターンに従って、イルミネーション部のライティングを制御する。これにより、他のスピーカー装置と異なるライティングパターンに従って、イルミネーション部によるライティング機能が実行されるため、複数のスピーカー装置で、異なるライティングを実行することができる。
【０００９】
第２の発明のスピーカー装置は、第１の発明のスピーカー装置において、無線通信部をさらに備え、前記制御部は、前記無線通信部を介して、前記他のスピーカー装置と無線通信を行うことを特徴とする。
【００１０】
第３の発明のスピーカー装置は、第１又は第２の発明のスピーカー装置において、前記ライティングパターンは、前記他のスピーカー装置と、点灯タイミングが異なることを特徴とする。
【００１１】
第４の発明のスピーカー装置は、第１又は第２の発明のスピーカー装置において、前記ライティングパターンは、前記他のスピーカー装置と、配色パターンが異なることを特徴とする。
【００１２】
第５の発明の電子機器は、イルミネーション部を備える、複数のスピーカー装置に、異なるライティングパターンを設定することを特徴とする。
【００１３】
本発明では、電子機器は、イルミネーション部を備える、複数のスピーカー装置に、異なるライティングパターンを設定する。これにより、他のスピーカー装置と異なるライティングパターンに従って、イルミネーション部によるライティング機能が実行されるため、複数のスピーカー装置で、異なるライティングを実行することができる。
【００１４】
第６の発明のシステムは、イルミネーション部と、制御部と、を備える複数のスピーカー装置と、電子機器と、を備えるシステムであって、前記電子機器は、前記複数のスピーカー装置に、異なるライティングパターンを設定し、前記制御部は、前記電子機器により設定された前記ライティングパターンに従って、前記イルミネーション部のライティングを制御することを特徴とする。
【発明の効果】
【００１５】
本発明によれば、複数のスピーカー装置で、異なるライティングを実行することができる。
【図面の簡単な説明】
【００１６】
【図１】本発明の実施形態に係るスピーカー装置の構成を示すブロック図である。
【図２】本発明の実施形態に係るシステムの概要を示す図である。
【図３】システムの処理動作を示すフローチャートである。
【発明を実施するための形態】
【００１７】
以下、本発明の実施形態について説明する。図１は、本実施形態に係るスピーカー装置１の構成を示すブロック図である。図１に示すように、スピーカー装置１は、マイクロコンピューター１１、記憶部１２、Ｄ／Ａコンバーター（以下、「ＤＡＣ」という。）１３、増幅器１４、スピーカー１５、無線モジュール１６、イルミネーション部１７を備える。マイクロコンピューター１１（制御部）は、スピーカー装置１を構成する各部を制御する。記憶部１２は、音楽サービスにアクセスするためのアプリケーション等を記憶するフラッシュメモリにより構成されている。ＤＡＣ１３は、デジタルオーディオデータを、アナログオーディオデータにＤ／Ａ変換する。増幅器１４は、ＤＡＣ１３がＤ／Ａ変換したアナログオーディオデータを増幅する。スピーカー１５は、増幅器１４が増幅したアナログオーディオデータに基づいて、音声を出力する。
【００１８】
無線モジュール１６（無線通信部）は、Bluetooth（登録商標）（以下、「BT」という。）規格、Wi-Fi規格に従った無線通信を行うためのものである。マイクロコンピューター１１は、無線モジュール１６を介して、楽曲を配信するサーバー等から、デジタルオーディオデータを受信する。また、マイクロコンピューター１１は、無線モジュール１６を介して、BT Low Energy（BLE）に従って、他のスピーカー装置と無線通信を行う。例えば、スピーカー装置１が、マスターとなり、他のスピーカー装置が、スレーブとなる場合、マスターから、スレーブに、楽曲が送信される。
【００１９】
イルミネーション部１７は、例えば、複数の発光ダイオード（LED）により構成される。イルミネーション部１７は、マイクロコンピューター１１により、ライティング（点灯、消灯、点灯する色、点灯・消灯の間隔等）が制御される。
【００２０】
図２は、本発明の実施形態に係るシステム１０１の概要を示す図である。図２に示すように、システム１０１は、複数のスピーカー装置１〜４と、スマートフォン５１と、を備える。なお、図２においては、４つのスピーカー装置１〜４が示されているが、スピーカー装置１〜４の数は、４つに限られない。スピーカー装置２〜４は、図１に示すスピーカー装置１と同様の構成である。イルミネーション部１７は、スピーカー装置１の筐体の、上下に設けられている。例えば、スピーカー装置１が、マスターとなり、スピーカー装置２〜４が、スレーブとなる。
【００２１】
スマートフォン５１（電子機器）には、スピーカー装置１〜４を制御するためのコントロールアプリケーションがインストールされている。スマートフォン５１は、ＳｏＣ（System on Chip）を備え、ＳｏＣは、スマートフォン５１を構成する各部を制御する。ＳｏＣは、コントロールアプリケーションに従って、スピーカー装置１〜４を制御する。
【００２２】
スマートフォン５１のＳｏＣは、スピーカー装置１〜４に、異なるライティングパターンを設定する。ここで、ＳｏＣは、スピーカー装置１〜４に番号を割り振る。例えば、ＳｏＣは、スピーカー装置１〜４に、番号１〜４を割り振る。そして、ＳｏＣは、スピーカー装置１〜４に、異なるライティングパターンを設定する。スピーカー装置１〜４に設定されるライティングパターンは、例えば、配色パターン、点灯タイミング等が異なっている。
【００２３】
マイクロコンピューター１１は、スマートフォン５１のＳｏＣにより設定されたライティングパターンに従って、イルミネーション部１７のライティングを制御する。スピーカー装置１以外のスピーカー装置２〜４が備えるマイクロコンピューターも、同様に、スマートフォン５１のＳｏＣにより設定されたライティングパターンに従って、イルミネーション部のライティングを制御する。
【００２４】
図３は、システム１０１の処理動作を示すフローチャートである。スマートフォン５１のＳｏＣは、BLE機能を用いて、スピーカー装置１〜４のBT接続を行う（Ｓ１）。次に、ＳｏＣは、スピーカー装置１〜４に番号を割り振る（Ｓ２）。次に、ＳｏＣは、スピーカー装置１〜４に、異なるライティングパターンを設定する（Ｓ３）。ライティングパターンは、例えば、他のスピーカー装置と、点灯タイミングが異なる。例えば、スピーカー装置１とスピーカー装置２とでは、点灯タイミングが、０．５秒異なり、スピーカー装置２の点灯タイミングは、スピーカー装置１の点灯タイミングよりも、０．５秒遅い。また、ライティングパターンは、他のスピーカー装置と、配色パターンが異なる。次に、ＳｏＣは、スピーカー装置１〜４に楽曲を再生させる（Ｓ４）。
【００２５】
以上説明したように、本実施形態では、スマートフォン５１は、イルミネーション部を備える、複数のスピーカー装置１〜４に、異なるライティングパターンを設定する。また、スピーカー装置１〜４のマイクロコンピューターは、他のスピーカー装置と異なるライティングパターンに従って、イルミネーション部のライティングを制御する。これにより、他のスピーカー装置と異なるライティングパターンに従って、イルミネーション部によるライティング機能が実行されるため、複数のスピーカー装置１〜４で、異なるライティングを実行することができる。すなわち、複数のスピーカー装置１〜４で、多彩なライティングを表現することができる。
【００２６】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００２７】
上述の実施形態では、電子機器として、スマートフォンを例示した。これに限らず、タブレット、パーソナルコンピューター（ＰＣ）等であってもよい。
【産業上の利用可能性】
【００２８】
本発明は、ライティング（照明）機能を備えるスピーカー装置、複数のスピーカー装置を制御する電子機器、及び、システムに好適に採用され得る。
【符号の説明】
【００２９】
１〜４  スピーカー装置
１１  マイクロコンピューター（制御部）
１２  記憶部
１３  ＤＡＣ
１４  増幅器
１５  スピーカー
１６  無線モジュール（無線通信部）
１７  イルミネーション部
５１  スマートフォン（電子機器）
１０１  システム
【図１】
2020195109.tif 000003
【図２】
2020195109.tif 000004
【図３】
2020195109.tif 000005